(57)【要約】【課題】交換後の建具に十分な防水性を確保すること。【解決手段】外壁部材６の外部から取付片１１２を切断し、既設の開口枠１００と躯体Ｂとの固定状態を解除して開口枠１００を取り外す工程と、躯体Ｂの外表面に残存する既設防水シート１３０に連続する状態で枠用開口部２の内周面に渡る部位に新たな防水シート３０を配設する工程と、新たな開口枠１０の外周面１１ａと枠用開口部２の内周面に配設した防水シート３０との間にパッキン材４０を設けた状態で開口枠１０を枠用開口部２に配置する工程と、開口枠１０を構成する枠部材１１の見込み面からそれぞれ躯体Ｂにネジ部材１４を螺合して開口枠１０を固定する工程とを含む。【選択図】図１１
2014194113.tif 000002
【特許請求の範囲】
【請求項１】
開口枠を構成する枠部材の外周部にそれぞれ取付片を有し、個々の取付片を躯体の外表面に固定することによって前記開口枠が躯体の枠用開口部に配置されており、
前記取付片の外表面には躯体の外表面に連続する防水部材が配設され、さらに前記取付片の外周部を覆うように外壁部材が設けられた既設の建具を交換する方法であって、
前記取付片を切断し、躯体との固定状態を解除して既設の開口枠を取り外す工程と、
躯体の外表面に残存する防水部材に連続する状態で前記枠用開口部の内周面に渡る部位に新たな防水部材を配設する工程と、
前記開口枠を前記枠用開口部に配置するとともに、新たな開口枠の外周面と前記枠用開口部の内周面に配設した防水部材との間にパッキン材を設ける工程と、
前記開口枠を構成する枠部材の見込み面からそれぞれ躯体にネジ部材を螺合して前記開口枠を固定する工程と
を含むことを特徴とする建具の交換方法。
【請求項２】
前記パッキン材として、圧縮した状態で新たな開口枠の外周面に取り付けられ、前記開口枠が前記枠用開口部に配置された後に膨張することによって前記開口枠と前記枠用開口部との隙間に充填されるものを適用し、
前記開口枠の外周面には、圧縮した状態のパッキン材よりも外周側に突出するスペーサ部材を前記パッキン材に隣接して配設し、
前記パッキン材に対して前記スペーサ部材が先行する状態で前記枠用開口部に前記開口枠を挿入することを特徴とする請求項１に記載の建具の交換方法。
【請求項３】
既設の開口枠が取り外された後、躯体に残存する防水部材に連続する状態で新たに防水部材が配設された枠用開口部に開口枠が配置される交換用の建具であって、
前記枠用開口部の内周面に配設された防水部材と前記開口枠の外周面との間にパッキン材を設けるとともに、前記パッキン材よりも室内側となる部位に前記開口枠の外周面と前記枠用開口部の内周面との間の隙間を規定するスペーサ部材を設けた状態で、前記開口枠を構成する枠部材の見込み面から躯体にネジ部材を螺合して前記開口枠を固定したことを特徴とする建具。
【請求項４】
前記スペーサ部材は、新たな開口枠を構成する枠部材と前記枠用開口部の内周面との間から室内側に向けて突出するように設けたものであり、
前記枠部材は、前記スペーサ部材の突出した部分を覆い、ネジ部材を介して前記スペーサ部材とともに躯体に固定される固定部分と、前記枠部材に取り付けられる基板部とを有したネジブラケットを備えることを特徴とする請求項３に記載の建具。
【請求項５】
前記スペーサ部材は、前記枠用開口部の内周面に沿って室内側に突出し、ネジ部材を介して躯体に固定される固定部分を有したことを特徴とする請求項３に記載の建具。
【請求項６】
前記パッキン材は、前記スペーサ部材よりも突出高さが低くなるように圧縮された状態で前記開口枠の外周面に設けられ、経時的に膨張することによって前記枠用開口部に配設した防水部材と前記開口枠の外周面との間に充填されるものであることを特徴とする請求項３に記載の建具。
【発明の詳細な説明】
【技術分野】
【０００１】
本発明は、既設の建具を新たな建具に交換する方法及び交換用の新たな建具に関するものである。
【背景技術】
【０００２】
既に躯体に配置された建具を交換する方法としては、特許文献１に記載されたものが提供されている。この交換方法では、まず、ネジ部材を介して躯体に固定された部分が外壁部材の開口から外部に露出した状態で躯体に残るように取付片が切断され、既設の開口枠が除去される。次いで、枠部材の外周部に取付片を有した新たな開口枠を外壁部材の開口から挿入して新たな開口枠の取付片を躯体に残された取付片に重ね合わせ、これら重ね合わせた取付片にネジ部材を螺合させることによって両者を連結する。
【０００３】
この交換方法によれば、既設の建具を取り外す際及び新設の建具を取り付ける際のいずれにおいても外壁部材を取り壊す必要がないため、工期の短縮化を図ることができる。
【先行技術文献】
【特許文献】
【０００４】
【特許文献１】特開２０１０−２０３０７２号公報
【発明の概要】
【発明が解決しようとする課題】
【０００５】
ところで、既設の建具には、取付片の外表面から躯体の外表面に連続するように防水シート等の防水部材が配設されている場合が多い。これは、躯体の外表面を伝って来た雨水等の水が開口枠との隙間から室内側へ浸入するのを防止するための処理である。このため、上述したように取付片を切除した場合には、取付片から躯体の外表面に渡って設けられた防水シートも途中で切断されることになる。従って、この状態のまま、単に取付片を重ね合わせて新たな開口枠を取り付けただけでは、重ね合わせた取付片の隙間から雨水等の水が室内側に浸入する恐れがあり、防水性に重点をおいた場合、必ずしも好ましいとはいえない。
【０００６】
躯体の外表面から連続するように、重ね合わせた取付片を新たな防水シートによって覆う作業を施せば、上述の問題を解決することは可能である。しかしながら、重ね合わせた取付片を防水シートで覆うには、躯体の枠用開口部に新たな開口枠を配置した後でなければ実施することができず、作業空間を確保することが困難となるため実現性に乏しいのが実情である。
【０００７】
本発明は、上記実情に鑑みて、交換後の建具に十分な防水性を確保することのできる建具の交換方法及び建具を提供することを目的とする。
【課題を解決するための手段】
【０００８】
上記目的を達成するため、本発明に係る建具の交換方法は、開口枠を構成する枠部材の外周部にそれぞれ取付片を有し、個々の取付片を躯体の外表面に固定することによって前記開口枠が躯体の枠用開口部に配置されており、前記取付片の外表面には躯体の外表面に連続する防水部材が配設され、さらに前記取付片の外周部を覆うように外壁部材が設けられた既設の建具を交換する方法であって、前記取付片を切断し、躯体との固定状態を解除して既設の開口枠を取り外す工程と、躯体の外表面に残存する防水部材に連続する状態で前記枠用開口部の内周面に渡る部位に新たな防水部材を配設する工程と、前記開口枠を前記枠用開口部に配置するとともに、新たな開口枠の外周面と前記枠用開口部の内周面に配設した防水部材との間にパッキン材を設ける工程と、前記開口枠を構成する枠部材の見込み面からそれぞれ躯体にネジ部材を螺合して前記開口枠を固定する工程とを含むことを特徴とする。
【０００９】
この発明によれば、躯体の枠用開口部に新たな開口枠を配置する以前に躯体側の防水処理を施し、かつ防水処理を施した躯体と新たな開口枠との間においては、開口枠の外周面との間にパッキン材を設けた状態で開口枠を配置することで防水性を確保するようにしている。
【００１０】
また、本発明は、上述した建具の交換方法において、前記パッキン材として、圧縮した状態で新たな開口枠の外周面に取り付けられ、前記開口枠が前記枠用開口部に配置された後に膨張することによって前記開口枠と前記枠用開口部との隙間に充填されるものを適用し、前記開口枠の外周面には、圧縮した状態のパッキン材よりも外周側に突出するスペーサ部材を前記パッキン材に隣接して配設し、前記パッキン材に対して前記スペーサ部材が先行する状態で前記枠用開口部に前記開口枠を挿入することを特徴とする。
【００１１】
この発明によれば、圧縮した状態のパッキン材よりも突出するスペーサ部材を先行させて新たな開口枠を枠用開口部に配置するようにしているため、パッキン材に剥がれ等の損傷を来すことなく枠用開口部に対して開口枠を容易に配置することができる。
【００１２】
また、本発明に係る建具は、既設の開口枠が取り外された後、躯体に残存する防水部材に連続する状態で新たに防水部材が配設された枠用開口部に開口枠が配置される交換用の建具であって、前記枠用開口部の内周面に配設された防水部材と前記開口枠の外周面との間にパッキン材を設けるとともに、前記パッキン材よりも室内側となる部位に前記開口枠の外周面と前記枠用開口部の内周面との間の隙間を規定するスペーサ部材を設けた状態で、前記開口枠を構成する枠部材の見込み面から躯体にネジ部材を螺合して前記開口枠を固定したことを特徴とする。
【００１３】
この発明によれば、枠用開口部の内周面に配設された防水部材と開口枠の外周面との間のパッキン材によって室内側への水の浸入が阻止される。
【００１４】
また、本発明は、上述した建具において、前記スペーサ部材は、新たな開口枠を構成する枠部材と前記枠用開口部の内周面との間から室内側に向けて突出するように設けたものであり、前記枠部材は、前記スペーサ部材の突出した部分を覆い、ネジ部材を介して前記スペーサ部材とともに躯体に固定される固定部分と、前記枠部材に取り付けられる基板部とを有したネジブラケットを備えることを特徴とする。
【００１５】
この発明によれば、ネジブラケットに設けた固定部分を介して開口枠を見込み面側から躯体に固定することができる。
【００１６】
また、本発明は、上述した建具において、前記スペーサ部材は、前記枠用開口部の内周面に沿って室内側に突出し、ネジ部材を介して躯体に固定される固定部分を有したことを特徴とする。
【００１７】
この発明によれば、スペーサ部材の固定部分を介して開口枠を見込み面側から躯体に固定することができる。
【００１８】
また、本発明は、上述した建具において、前記パッキン材は、前記スペーサ部材よりも突出高さが低くなるように圧縮された状態で前記開口枠の外周面に設けられ、経時的に膨張することによって前記枠用開口部に配設した防水部材と前記開口枠の外周面との間に充填されるものであることを特徴とする。
【００１９】
この発明によれば、スペーサ部材よりも突出高さが低くなるように圧縮した状態でパッキン材を開口枠の外周面に設けるようにしているため、パッキン材に剥がれ等の損傷を来すことなく枠用開口部に対して開口枠を容易に配置することができる。
【発明の効果】
【００２０】
本発明によれば、躯体の枠用開口部に新たな開口枠を配置する以前に躯体側の防水処理を施し、かつ防水処理を施した躯体と新たな開口枠との間においてはパッキン材を設けているため、十分な防水性を確保して建具の交換を行うことが可能となる。
【図面の簡単な説明】
【００２１】
【図１】図１は、本発明の実施の形態である交換方法を適用して取り付けられた新たな建具を示した縦断面図である。
【図２】図２は、図１に示した建具の横断面図である。
【図３】図３は、交換対象となる既設の建具を示した縦断面図である。
【図４】図４は、図３に示した既設の建具の横断面図である。
【図５】図５は、図３に示した既設の建具において障子を取り外した状態の断面斜視図である。
【図６】図６は、図３に示した既設の建具の要部を拡大して示す断面斜視図である。
【図７】図７は、図３に示した既設の建具において開口枠と外壁部材との間のシーリング材を除去した状態の拡大断面斜視図である。
【図８】図８は、図３に示した既設の建具において開口枠を取り外した状態の断面斜視図である。
【図９】図９は、既設の建具を取り外した後の躯体のまぐさ部分を拡大した断面斜視図である。
【図１０】図１０は、既設の建具を取り外した後の躯体の窓台部分を拡大した断面斜視図である。
【図１１】図１１は、既設の建具を取り外した後の躯体に防水部材を配設した状態の断面斜視図である。
【図１２】図１２は、既設の建具を取り外した後の躯体に新たな開口枠を取り付けた状態の断面斜視図である。
【図１３−１】図１３−１は、図１に示した建具の第１変形例を示す要部縦断面図である。
【図１３−２】図１３−２は、既設の建具を取り外した後の躯体に図１３−１に示した建具の開口枠を取り付けた状態を示す要部縦断面図である。
【図１４−１】図１４−１は、図１に示した建具の第２変形例を示す要部縦断面図である。
【図１４−２】図１４−２は、既設の建具を取り外した後の躯体に図１４−１に示した建具の開口枠を取り付けた状態を示す要部縦断面図である。
【発明を実施するための形態】
【００２２】
以下、添付図面を参照しながら本発明に係る建具の交換方法及び建具の好適な実施の形態について詳細に説明する。
【００２３】
図１及び図２は、本発明の実施の形態である建具を示したものである。ここで例示する建具１は、図３及び図４に示すように、躯体Ｂの枠用開口部２に取り付けられた既設の建具１００を交換する場合に用いられる交換用のものである。建具１００が取り付けられた躯体Ｂの枠用開口部２は、一対の柱３の間にまぐさ４及び窓台５を設けることによって構成された矩形状の開口を有するものである。以下、躯体Ｂに取り付けられた既設の建具１００及び交換用となる新設の建具１についてそれぞれの構成を説明する。尚、便宜上、既設の建具１００を構成する要素にはそれぞれの名称の先頭に「既設」という用語を付与し、新設の建具１を構成する要素にはそれぞれの名称の先頭に「新設」という用語を付与することによって両者を区別することとする。また、枠用開口部２を構成する柱３、まぐさ４及び窓台５について特に特定する必要がない場合には、単に躯体Ｂもしくは枠用開口部２として説明する。
【００２４】
図３及び図４に示すように、躯体Ｂに取り付けられた既設建具１００は、既設枠部材１１１を四周枠組みすることによって構成された既設開口枠１１０の内部に既設障子１２０を配設して構成されるもので、縦辷り出し窓を例示している。既設障子１２０は、既設框１２１を四周框組みして構成した框の内部にガラス等の面材１２２を保持して構成されたものである。既設開口枠１１０は、既設枠部材１１１のそれぞれが取付片１１２及び補助取付片１１３を備えており、個々の取付片１１２及び補助取付片１１３を介して躯体Ｂにネジ部材１１４を螺合させることにより、枠用開口部２に配置された状態で躯体Ｂに固定されている。既設枠部材１１１の取付片１１２は、それぞれの既設枠部材１１１の外周部から外方に向けて突出されたもので、躯体Ｂの外表面に重ね合わせた状態でネジ部材１１４を螺合することにより躯体Ｂの外表面に固定されている。既設枠部材１１１の補助取付片１１３は、それぞれの既設枠部材１１１から枠用開口部２の内周面に沿って室内側に突出する部分であり、枠用開口部２の内周面に重ね合わせた状態で見込み面からネジ部材１１４を螺合することにより枠用開口部２の内周面に固定されている。
【００２５】
躯体Ｂに取り付けられた既設開口枠１１０の取付片１１２には、外表面から躯体Ｂの外表面に連続するように既設防水シート（防水部材）１３０が配設されている。既設防水シート１３０と取付片１１２との間は、水密性を確保するために粘着テープ１３１や粘着剤によって貼り付けられている。
【００２６】
既設開口枠１１０の周囲において躯体Ｂよりも室外側に位置する部分には、外壁部材６が設けられている。外壁部材６は、それぞれの取付片１１２の外周部を覆うように設けられており、取付片１１２に螺合したネジ部材１１４が室外側に露出するのを防止している。さらに、外壁部材６に設けられる矩形の開口と既設開口枠１１０の外周面との隙間は、既設シーリング材７を充填することによって閉塞され、互いの間に所望の水密性が確保されている。
【００２７】
枠用開口部２の見込み面には、既設枠部材１１１から室内側に位置する部分に既設額縁部材１４０が設けられている。既設額縁部材１４０は、補助取付片１１３の外表面全面及び枠用開口部２の内周面全面を覆うように設けられており、補助取付片１１３に螺合したネジ部材１１４が室内側に露出するのを防止している。
【００２８】
一方、交換用として用意される新設建具１は、図１及び図２に示すように、新設枠部材１１を四周枠組みすることによって構成した新設開口枠１０の内部に新設障子２０を配設することにより構成したもので、縦辷り出し窓を例示している。新設障子２０は、既設障子１２０と同様、新設框２１を四周框組みした框の内部にガラス等の面材２２を保持して構成したものである。
【００２９】
新設開口枠１０は、図１１に示すように、個々の新設枠部材１１において枠用開口部２の内周面に対向して配置される外周面１１ａが平坦状となっており、枠用開口部２の内周面との間に隙間を持って配置することのできる大きさに構成してある。個々の新設枠部材１１には、室内側に向けて配置される見付け面にネジブラケット１２が設けてある。ネジブラケット１２は、基板部１２ａから互いに平行となるように突出した固定部分（枠部材の固定部分）１２ｂ及び挟持部分１２ｃと、基板部１２ａから固定部分１２ｂとは反対側に向けて突出した係合部分１２ｄとを有したものである。このネジブラケット１２は、図１、図２及び図１１に示すように、固定部分１２ｂが新設枠部材１１の外周面１１ａに沿って室内側に突出する状態で係合部分１２ｄを介して新設枠部材１１の見付け面に係合させ、さらに基板部１２ａを介して新設枠部材１１に取付ネジ１３を螺合させることによって新設枠部材１１に取り付けてある。
【００３０】
以下、躯体Ｂに取り付けられた既設建具１００を新設建具１に交換する手順について説明する。この交換方法では、まず、既設建具１００の既設開口枠１１０から既設障子１２０を取り外し、図５に示す状態とする。次いで、図６に示すように、室外側からカッター等の切断工具を適用して既設開口枠１１０と外壁部材６との間に設けられた既設シーリング材７を除去する作業を行う。既設シーリング材７を除去した状態においては、図７に示すように、外壁部材６と既設開口枠１１０との間に隙間ができることになり、この隙間を通じて、躯体Ｂの外表面に固定された既設枠部材１１１の取付片１１２を室外側から視認できるようになる。
【００３１】
次いで、既設シーリング材７を除去した隙間からカッター等の切断工具を挿入し、図中の切断線で示すように、既設枠部材１１１の長手方向に沿って取付片１１２を順次切断する。全周に渡って取付片１１２が切断されると、取付片１１２においてネジ部材１１４が螺合された部分は躯体Ｂの外表面に残存することになるものの、既設開口枠１１０と躯体Ｂとの固定状態が解除されることになる。しかも、室外側から外壁部材６の開口を通じて取付片１１２が切断された既設開口枠１１０は、外壁部材６の開口よりも外形寸法が小さくなる。従って、既設額縁部材１４０を取り外すことによって補助取付片１１３に螺合したネジ部材１１４を露出させ、工具を用いてネジ部材１１４を弛緩、除去すれば、図８に示すように、外壁部材６を取り壊さずとも、室外側から外壁部材６の開口を通じて既設開口枠１１０を取り外すことができるようになる。
【００３２】
ここで、上記のようにして既設開口枠１１０を取り外した後の躯体Ｂにあっては、外表面から取付片１１２の外表面に連続するように配設した既設防水シート１３０や粘着テープ１３１についても取付片１１２とともに切断されることになるため、躯体Ｂの外表面と躯体Ｂに残存する取付片１１２との隙間に雨水等の水が浸入する恐れがある等、既設建具１００が取り付けられていた状態に比べて防水性が損なわれた状態となる。
【００３３】
そこで、この交換方法においては、図９及び図１０に示すように、躯体Ｂの外表面に残存する既設防水シート１３０に連続する状態で、枠用開口部２の内周面に渡る部位に新設防水シート（防水部材）３０を配設するようにしている。すなわち、枠用開口部２の上辺部に位置するまぐさ４及び左右の両側辺部に位置する柱３に対しては、図９に示すように、枠用開口部２の内周面から既設防水シート１３０の外表面に重なるように新設防水シート３０を配設する。新設防水シート３０と枠用開口部２の内周面及び既設防水シート１３０の外表面との間は、水密性を確保するために粘着テープや粘着剤によって貼り付ける。枠用開口部２の下辺部に位置する窓台５に対しては、図１０に示すように、取付片１１２の切断面を覆うように窓台５の外表面から既設防水シート１３０に渡る部位に内方防水シート（防水部材）３１を配設し、さらに枠用開口部２の内周面から内方防水シート３１に重なるように新設防水シート３０を配設する。内方防水シート３１と窓台５の外表面及び既設防水シート１３０との間は、水密性を確保するために粘着テープや粘着剤によって貼り付ける。新設防水シート３０と枠用開口部２の内周面及び内方防水シート３１との間についても、水密性を確保するために粘着テープや粘着剤によって貼り付ける。さらに、図１１に示すように、枠用開口部２の隅部には、新設防水シート３０の端部を覆うように新設防水シート３０を重ねて配設し、両者の間を粘着テープや粘着剤によって貼り付ける。
【００３４】
上記のようにして新設防水シート３０を配設した枠用開口部２に対しては、新設開口枠１０を室外側から配置する。このとき、新設開口枠１０の外周面１１ａには、全周に渡って連続するように、パッキン材４０を平板状に圧縮した状態で取り付けておくことが好ましい。パッキン材４０を取り付ける位置は、新設枠部材１１の外周面において室外側寄りとなり、かつ枠用開口部２に新設開口枠１０を配置した際に新設防水シート３０に対向する部分である。パッキン材４０としては、気密性及び水密性を有したものが好適であり、例えば、発泡性のポリウレタンから成るものを適用することができる。パッキン材４０を圧縮した状態で新設開口枠１０の外周面１１ａに取り付けるのは、パッキン材４０を含む新設開口枠１０の外形寸法を枠用開口部２の内部寸法よりも小さくするためであり、パッキン材４０に剥がれや損傷を来すことなく枠用開口部２に新設開口枠１０を配置することが可能となる。圧縮したパッキン材４０は、枠用開口部２に配置した後に経時的に膨張し、新設開口枠１０と枠用開口部２の内周面との間の隙間に充填され、新設開口枠１０と枠用開口部２との間に所望の気密性及び水密性を確保する。尚、上述したパッキン材４０は、新設開口枠１０を枠用開口部２に配置した後に新設開口枠１０と枠用開口部２の内周面との間に設けても良い。
【００３５】
枠用開口部２に新設開口枠１０を配置した後、図１２に示すように、新設枠部材１１においてパッキン材４０よりも室内側となる部分及びネジブラケット１２の固定部分１２ｂには、枠用開口部２の内周面との間にスペーサ部材５０を配設して隙間を埋める。このスペーサ部材５０は、新設開口枠１０の外周面１１ａと枠用開口部２の内周面との間の隙間を規定する板厚を有したもので、パッキン材４０に比較して十分な剛性を有する部材によって成形してある。
【００３６】
スペーサ部材５０を配設した後、パッキン材４０を貫くようにそれぞれの新設枠部材１１の見込み面から躯体Ｂにネジ部材１４を螺合するとともに、ネジブラケット１２の固定部分１２ｂからスペーサ部材５０を貫くように躯体Ｂにネジ部材１４を螺合すれば、新設開口枠１０が安定した状態で躯体Ｂに固定されることになり、さらに新設額縁部材６０を設けるとともに、新設開口枠１０と外壁部材６との間に新設シーリング材８を充填した後、図１及び図２に示すように、新設開口枠１０に新設障子２０を配設すれば、新設建具１が完成する。
【００３７】
上記のように取り付けた新設建具１では、取付片１１２を切断することによって躯体Ｂと既設開口枠１１０との固定状態を解除するようにしているため、外壁部材６を取り壊すことなく既設開口枠１１０を除去することが可能である。しかも、新設建具１としては、新設開口枠１０の外形寸法が枠用開口部２の内部寸法よりも小さく構成してあるため、外壁部材６の開口を介して室外側から枠用開口部２に配置することができ、外壁部材６を取り壊す必要がない。従って、既設建具１００から新設建具１への交換を短い工期で実施することができるばかりでなく、既設の外壁部材６をそのまま使用できるため、交換作業に伴う施工コストを抑えることができるようになる。
【００３８】
また、新設枠部材１１のそれぞれをネジ部材１４によって見付け面から固定するようにしている。このため、既設開口枠１１０の材質がアルミニウム等の金属であっても合成樹脂材であっても、あるいは既設枠部材１１１に歪みや撓みが生じていたり、取付片１１２の切断幅が均一でない状態であっても、新設開口枠１０の躯体Ｂへの取付強度に何ら影響を及ぼす恐れがない。
【００３９】
さらに、躯体Ｂの枠用開口部２に新設開口枠１０を配置する以前に躯体Ｂに新設防水シート３０や内方防水シート３１によって防水処理を施し、かつ防水処理を施した躯体Ｂと新設開口枠１０との間においては枠用開口部２の内周面と新設開口枠１０の外周面１１ａとの間にパッキン材４０を設けているため、十分な防水性を確保して新設建具１を取り付けることが可能となる。
【００４０】
尚、上述した実施の形態では、既設建具１００である縦辷り出し窓を新設建具１である縦辷り出し窓に交換する方法について例示しているが、必ずしも既設建具１００と新設建具１とが縦辷り出し窓である必要はなく、また同じ種類のものである必要もなく、その他の種類の建具をその他の種類の建具へ交換することが可能である。
【００４１】
また、上述した実施の形態では、新設開口枠１０を枠用開口部２に配置した後に新設開口枠１０の外周面１１ａと枠用開口部２の内周面との間にスペーサ部材５０を設けるようにしているが、パッキン材４０に隣接するように新設開口枠１０の外周面１１ａに予めスペーサ部材５０を取り付けておいても良い。パッキン材４０に隣接するように予めスペーサ部材５０を取り付けた場合には、新設開口枠１０を枠用開口部２に配置する際に突出高さの大きなスペーサ部材５０が先行されることになり、パッキン材４０の剥がれや損傷を、より確実に防止することが可能となる。
【００４２】
またさらに、スペーサ部材５０としては、必ずしも実施の形態のものに限らない。例えば図１３−１及び図１３−２に示す第１変形例のように、スペーサ部材及びネジブラケットとして機能するスペーサブラケット１５０を適用し、これをパッキン材４０に隣接するように予め新設開口枠１０の新設枠部材１１に取り付けておいても良い。さらに、図１４−１及び図１４−２に示す第２変形例のように、新設開口枠１０を構成する新設枠部材１１のそれぞれにスペーサ部材として機能する支持突起部２５０及びネジブラケットとして機能する支持固定ヒレ部（固定部分）２５１を一体に形成しても良い。第１変形例のスペーサブラケット１５０及び第２変形例の支持突起部２５０は、図１３−１及び図１４−１に示すように、いずれも圧縮した状態で取り付けられたパッキン材４０よりも外周側に突出するように設けたものである。
【００４３】
より具体的に説明すると、第１変形例のスペーサブラケット１５０は、新設枠部材１１の外周面１１ａに沿って取り付けられる基板部（スペーサ部材の固定部分）１５０ａと、基板部１５０ａの室内側の端部及び室外側の端部からそれぞれ外周側に突出する一対の支持突起部１５０ｂと、基板部１５０ａのほぼ中央となる部位から内周側に向けて突出した係合部１５０ｃとを有したもので、係合部１５０ｃを介して新設枠部材１１の見付け面に係合させ、さらに基板部１５０ａを介して新設枠部材１１に取付ネジ１５１を螺合させることによって新設枠部材１１に取り付けてある。
【００４４】
第２変形例の支持突起部２５０は、新設枠部材１１の外周面において室内側に位置する部位及びパッキン材に隣接した部位からそれぞれ外周側に向けて突出したものである。支持固定ヒレ部２５１は、室内側から突出した支持突起部２５０の見付け面から枠用開口部２の内周面に沿って室内側に突出した後、枠用開口部２の内周面に向けて屈曲したものである。
【００４５】
これらの第１変形例及び第２変形例においても、図１３−１及び図１４−１に示すように、パッキン材４０に隣接する位置に突出高さの大きな支持突起部１５０ｂや支持突起部２５０が取り付けられた状態となるため、新設開口枠１０を枠用開口部２に配置する際にパッキン材４０の剥がれや損傷を、より確実に防止することが可能となる。
【００４６】
また、新設開口枠１０を枠用開口部２に配置した後においては、スペーサブラケット１５０の基板部１５０ａや支持固定ヒレ部２５１を介してそれぞれ躯体Ｂにネジ部材１４を螺合させれば、新設開口枠１０が枠用開口部２に対して安定した状態で固定されることになる。尚、上述した第１変形例及び第２変形例において実施の形態と同様の構成に関しては、同一の符号を付してそれぞれの詳細説明を省略した。
【符号の説明】
【００４７】
１      新設建具、２      枠用開口部、６      外壁部材、１０      新設開口枠、１１      新設枠部材、１１ａ      外周面、１２      ネジブラケット、１２ａ      基板部、１２ｂ      固定部分、１４      ネジ部材、３０      新設防水シート、３１      内方防水シート、４０      パッキン材、５０      スペーサ部材、１００      既設建具、１１０      既設開口枠、１１１      既設枠部材、１１２      取付片、１１４      ネジ部材、１３０      既設防水シート、１３１      粘着テープ、１５０      スペーサブラケット、１５０ａ      基板部、１５０ｂ      支持突起部、１５０ｃ      係合部、１５１      取付ネジ、２５０      支持突起部、２５１      支持固定ヒレ部、Ｂ      躯体
【図１】
2014194113.tif 000003
【図２】
2014194113.tif 000004
【図３】
2014194113.tif 000005
【図４】
2014194113.tif 000006
【図５】
2014194113.tif 000007
【図６】
2014194113.tif 000008
【図７】
2014194113.tif 000009
【図８】
2014194113.tif 000010
【図９】
2014194113.tif 000011
【図１０】
2014194113.tif 000012
【図１１】
2014194113.tif 000013
【図１２】
2014194113.tif 000014
【図１３−１】
2014194113.tif 000015
【図１３−２】
2014194113.tif 000016
【図１４−１】
2014194113.tif 000017
【図１４−２】
2014194113.tif 000018